(57)【要約】  股関節置換手術に使用するための外科用トレイ、ツールおよび方法であって、人工股関節置換はリバース型人工股関節である。本発明の試用構成要素、特殊ツールおよび方法は、外科医が、患者の解剖学的構造に最も適したサイズおよび角度に基づいて、患者に移植するためのリバース型人工股関節の最適な構成要素を識別することを可能にする。【選択図】図３Ａ
2018525118.tif 000002
【特許請求の範囲】
【請求項１】
インプラント手術のための大腿骨を準備するためのツールを含む第１のセットのトレイと、
インプラント手術のための寛骨臼を準備するためのツールを含む第２のセットのトレイと、
リバース型股関節寛骨臼カップおよび寛骨臼ボールの寸法決め、配置および移植のための試用インプラントおよびツールを含む第３のセットのトレイと、
リバース型人工股関節とともに使用するための大腿骨カップの寸法決めおよび移植のための試用インプラントおよびツールを含む第４のセットのトレイと、
を含む、股関節置換手術に使用するための外科用トレイ装置およびその構成要素。
【請求項２】
前記第１のセットのトレイ内の前記ツールは、
大腿骨に挿入するための遠位端および近位端を有するリーマと、
前記リーマの前記近位端に接続するように構成された右手用ハンドルおよび左手用ハンドルと、
前記リーマの前記近位端に接続するように構成されたＴハンドルと、
箱骨刀と、
前記大腿骨に対応する大きさの開口部を形成するようにそれぞれ寸法決めされた２つまたは３つ以上のブローチと、
前記ブローチを前記大腿骨に打ち込むためのハンマーと、
大腿骨インプラントの近位端にねじ込まれるように構成されたねじ部分を有するハンドルと、
を含む請求項１に記載の装置。
【請求項３】
前記第２のセットのトレイ内の前記ツールは、
２つまたは３つ以上の異なるサイズの寛骨臼骨カッターと、
前記寛骨臼骨カッターに接続するように構成された遠位端を有する駆動シャフトと、
前記駆動シャフトの近位端に接続するように構成された駆動シャフトハンドルと、
を含む請求項１に記載の装置。
【請求項４】
前記駆動シャフトハンドルの遠位端は、前記駆動シャフトに接続するように構成され、
前記駆動シャフトハンドルの近位端は、ドリルに接続されるように構成される、
請求項３に記載の装置。
【請求項５】
前記第３のセットのトレイ内の前記ツールは、
ドリル・ガイド・ハンドルと、
２つまたは３つ以上のドリル・ビットと、
２つまたは３つ以上のドリル・ガイドと、
２つまたは３つ以上の第２の試用寛骨臼ボールと、
試用寛骨臼ボール挿入取り外しツールと、
２つまたは３つ以上の第１の試用寛骨臼ボールと、
２つまたは３つ以上の試用寛骨臼カップと、
他のユニバーサル・ハンドルを含む寛骨臼カップ・インパクタ・アセンブリの要素と、
寛骨臼カップ・ハンドルと、
近位端にノブを有する内部シャフトと、
２つの前傾ガイド・ロッドと、
コレットと、
寛骨臼ボール・インパクタと、
を含む請求項１に記載の装置。
【請求項６】
前記第４のセットのトレイ内の前記ツールは、
ブローチの前記近位端または大腿骨インプラントに一時的に固定されるように構成された２つまたは３つ以上の第１の試用大腿骨カップと、
前記大腿骨インプラントに一時的に固定されるように構成された２つまたは３つ以上の第２の試用大腿骨カップと、
ポリマ・ライナを大腿骨カップに押し付けるためのプレス、大腿骨カップ・ロケータ、およびプランジャと、
を含む請求項１に記載の装置。
【請求項７】
寛骨臼骨の準備された表面にぴったり合うように構成された外側面および内側窪み面を有し、
前記外側面および前記内側窪み面は、貫通開口部を有し、
前記内側窪み面は、前記内側窪み面の底部から伸びるステムを有し、
前記ステムには、雌ねじが切られている、
リバース型人工股関節用の試用寛骨臼カップ。
【請求項８】
前記外側面は、突状である、
請求項７に記載のカップ。
【請求項９】
半球状のボールを含み、
前記半球状のボールは、前記半球状のボールから延びるステムと、前記ステムの反対側のボール表面の平坦部分と、を有する、
リバース型人工股関節用の試用寛骨臼ボール。
【請求項１０】
前記ステムは、雄ねじになっている、
請求項９に記載のボール。
【請求項１１】
前記ステムは、寛骨臼カップのステムを受け入れる大きさの開口部を含む、
請求項９に記載のボール。
【請求項１２】
前記平坦部分の中心にある開口部をさらに備え、
前記開口部は、前記ねじ部分が試用寛骨臼カップの雌ねじが切られたステム内にねじ込まれたときに前記ボールを締めたり緩めたりするためのツールを受け入れる大きさおよび形状である、
請求項１０に記載のボール。
【請求項１３】
寛骨臼ボールに関節接合するように構成された窪み面を有するカップと、
前記窪み面の反対側の前記カップの外側面から伸びるステムであって、ブローチの近位端または大腿骨インプラントの近位端に固定されるように構成されている、ステムと、
を含むリバース型人工股関節用の試用大腿骨カップ。
【請求項１４】
前記ステムは、ブローチの近位端または大腿骨インプラントの近位端を受け入れるように構成される、請求項１３に記載のカップ。
【請求項１５】
前記ステムは、大腿骨インプラントの近位端に受け入れられるように構成される、請求項１３に記載のカップ。
【請求項１６】
近位端にプレスバーを有し、遠位端にシリンダを有するシャフトを受け入れるように構成されたブラケットが固定されたベースであって、前記シリンダは、プランジャを押し付けるように構成されている、ベースと、
前記シリンダに対向してベース上に配置された大腿骨カップ・ロケータと、
前記大腿カップ・ロケータ内に配置され、上方に向けられた位置に窪み面を有する大腿骨カップと、
前記プランジャに接して配置された窪み部分および前記大腿骨カップの前記窪み部分の上に配置された突部分を有するポリマ・ライナと、を含み、
前記プレスバーを用いて前記シリンダを前記プランジャに接触させて下方に押し付けることによって前記プランジャが下方に押されると、前記ライナは前記大腿カップの所定の位置に嵌め込まれる、
リバース型人工股関節用の大腿骨カップにポリマ・ライナを押し付けるためのプレス。
【請求項１７】
寛骨臼カップまたは試用寛骨臼カップに対してボールを挿入または取り外しするための把持面を提供するための円周溝を有する試用寛骨臼ボール。
【請求項１８】
ラチェット部分に近接する近位端のハンドルと、
遠位端のグリッパと、
前記近位端と前記遠位端の間に配置されたヒンジと、を含み、
前記グリッパは、前記試用寛骨臼ボールの前記円周溝を把持するように構成されている、
請求項１７に記載の前記試用寛骨臼ボールを挿入または取り外しするためのツール。
【請求項１９】
大腿骨を準備するための前記ツールを用いて前記大腿骨を準備し、寛骨臼を準備するための前記ツールを用いて寛骨臼を準備するステップと、
続いて、前記試用寛骨臼カップおよび試用寛骨臼ボールを前記寛骨臼内に配置し、前記試用大腿骨インプラントを前記大腿骨内に配置し、前記インプラントの適切なサイジングが識別されるまでこのプロセスを繰り返すステップと、
続いて、前記試用インプラントを取り外し、適切な大きさの永久インプラントを移植するステップと、
を含む、請求項１に記載の外科用トレイ装置および構成要素から前記ツールおよび前記試用インプラントを使用する外科的方法。
【請求項２０】
ドリル・ガイドは、前記寛骨臼に永久寛骨臼カップを固定するためのネジを収容するために前記寛骨臼に穴をあけるために使用される、
請求項１９に記載の方法。
【発明の詳細な説明】
【技術分野】
【０００１】
本発明は、リバース型人工股関節に関連して使用される外科用器具および方法に関する。より詳細には、本発明は、股関節置換手術に使用される器具トレイ、外科用ツール、および試用インプラントに関する。
【背景技術】
【０００２】
リバース型人工股関節は、米国特許８，３１３，５３１号および８，５４０，７７９号に記載されている。人工装具および修正手術方法も、米国特許第８，９９２，６２７号に記載されている。これらの３つの特許の開示は、参照によりその全体が本明細書に組み込まれる。
【先行技術文献】
【特許文献】
【０００３】
【特許文献１】米国特許第８，３１３，５３１号
【特許文献２】米国特許第８，５４０，７７９号
【特許文献３】米国特許第８，９９２，６２７号
【発明の概要】
【発明が解決しようとする課題】
【０００４】
本発明が解決しようとする課題は、外科医が、試用インプラントおよび特殊外科用ツールを使用して患者への移植のためにサイズおよび角度に基づいてリバース型人工股関節の最適な構成要素を識別することを可能にする、外科用トレイ、ツールおよび方法を提供することである。
【課題を解決するための手段】
【０００５】
上述の特許に記載されているように、リバース型人工股関節は、一般に、寛骨臼カップのステムに固定された寛骨臼ボールと、大腿骨ステムに固定された大腿骨カップと、を含み、大腿骨カップは、寛骨臼ボールに関節接合する。本発明の外科用トレイ、ツールおよび方法は、外科医が、試用インプラントおよび特殊外科用ツールを使用して患者への移植のためにサイズおよび角度に基づいてリバース型人工股関節の最適な構成要素を識別することを可能にする。本開示では、外科用ツールを意味する用語「ツール」を使用する場合がある。
【図面の簡単な説明】
【０００６】
【図１】図１Ａおよび図１Ｂは、インプラント手術のための大腿骨を準備するためのツールを含むトレイのセットを示している。
【図２】図２Ａ、図２Ｂおよび図２Ｃは、インプラント手術のための寛骨臼を準備するためのツールを含むトレイのセットを示している。
【図３】図３Ａ、図３Ｂおよび図３Ｃは、寛骨臼カップおよび寛骨臼ボールの寸法決めおよび移植のための試用インプラントおよびツールを含むトレイのセットを示している。
【図４】図４Ａ、図４Ｂおよび図４Ｃは、大腿骨カップの寸法決めおよび移植のための試用インプラントおよびツールを含むトレイのセットを示している。
【図５】図５Ａ、図５Ｂ、図５Ｃ、図５Ｄおよび図５Ｅは、試用寛骨臼カップの立面図、断面図および斜視図を含む。
【図６】図６Ａ、図６Ｂ、図６Ｃおよび図６Ｄは、試用寛骨臼カップとともに使用するための第１の試作寛骨臼ボールの立面図、断面図および斜視図を含む。
【図７】図７Ａ、図７Ｂ、図７Ｃ、図７Ｄ、図７Ｅおよび図７Ｆは、移植された寛骨臼カップとともに使用するための第２の試用寛骨臼ボールの立面図、断面図、詳細図および斜視図を含む。
【図８】図８Ａ、図８Ｂ、図８Ｃ、図８Ｄおよび図８Ｅは、図７Ａ〜図７Ｆに図示されたタイプの第２の試作寛骨臼ボールの様々な図、および、寛骨臼カップのステムに配置された前記ボールの立面図および断面図を含む。
【図９】図９Ａ、図９Ｂおよび図９Ｃは、試用寛骨臼カップを設置および取り外しするために使用されるハンドルを斜視図および立面図で示し、寛骨臼の代表的な部分にある試用寛骨臼カップにねじ込まれたハンドルの断面図を示している。
【図１０】図１０Ａ、図１０Ｂ、図１０Ｃ、図１０Ｄ、図１０Ｅおよび図１０Ｆは、第１の試用大腿骨カップの立面図、断面図、詳細図および斜視図を含む。
【図１１】図１１Ａ、図１１Ｂ、図１１Ｃ、図１１Ｄ、図１１Ｅおよび図１１Ｆは、図１０Ａ〜図１０Ｆに図示されたタイプの第１の試用大腿骨カップの追加図、および、第１の大腿骨インプラントにおける前記カップの斜視図および正面図を含む。
【図１２】図１２Ａ、図１２Ｂ、図１２Ｃ、図１２Ｄ、図１２Ｅおよび図１２Ｆは、第２の試用大腿骨カップの立面図、断面図、詳細図および斜視図を示している。
【図１３】図１３Ａ、図１３Ｂ、図１３Ｃ、図１３Ｄ、図１３Ｅ、図１３Ｆおよび図１３Ｇは、図１２Ａ〜図１２Ｆに図示されたタイプの第２の試用大腿骨カップの追加図、および、第２の大腿骨インプラントにおけるカップの斜視図、立面図および断面図を示している。
【図１４】図１４は、試用寛骨臼カップ内の第１の試作寛骨臼ボール、および、カップに対してボールを着脱するために使用されるツールを示す断面図である。
【図１５】図１５は、第１の試作寛骨臼ボールに対して関節接合位置にある第１の試用大腿骨カップを示す断面図である。
【図１６】図１６Ａ、図１６Ｂ、図１６Ｃ、図１６Ｄ、図１６Ｅ、図１６Ｆ、図１６Ｇ、および図１６Ｈは、ライナを大腿骨カップに押し付けるために使用されるプレスアセンブリおよびその構成要素の様々な図を示している。
【図１７】図１７は、大腿骨カップを有する図１６Ａ〜図１６Ｈのプレスアセンブリの立面図である。
【図１８】図１８は、図１７の断面図である。
【図１９】図１９は、挿入取り外しツールの斜視図である。
【図２０】図２０は、図１９のツールの立面図である。
【図２１】図２１は、挿入取り外しツールとともに使用するように構成された試用寛骨臼ボールの他の実施形態の立面図である。
【図２２】図２２は、ツールが図２１の試用寛骨臼ボールと接触して寛骨臼カップからボールを取り外すのを容易にする際の図１９および図２０のツールの位置を示す斜視図である。
【図２３】図２３は、手術で使用される従来の電動ドリルの立面図である。
【発明を実施するための形態】
【０００７】
股関節インプラント手術用の大腿骨を準備するために使用されるツールは、図１Ａおよび図１Ｂの第１のセットのスチール・トレイ１および２のそれぞれに含まれる。
【０００８】
トレイ１は、リーマ３、右手用ハンドル４および左手用ハンドル５を含む。また、トレイ１には、Ｔハンドル６および箱骨刀（box osteotome）７が含まれる。大腿骨頭を切断することによって大腿骨が手術のために準備された後、箱骨刀７は、リーマ３の正確な位置決めのためのガイドとして、大腿骨の初期開口部を作るための中央パンチとして使用される。次いで、リーマ３の近位端３ａへの接続に適したＴハンドル６がリーマに固定され、外科医は、リーマ３の遠位端３ｂを初期開口部内に配置し、圧力を加えながらハンドルを回転させて大腿骨にポケットを形成する。右手用ハンドル４および左手用ハンドル５は、それぞれ、トレイ２に関連して以下に説明するように、ブローチ８の使用の準備において、リーマを回転させて大腿骨に深いポケットを形成するためにリーマの近位端３ａへ接続するのに適している。右手用ハンドル４は右利きの外科医によって使用され、左手用ハンドル５は左利きの外科医によって使用される。
【０００９】
トレイ２は、２つ以上の異なるサイズのブローチ８のセットを含む。ブローチは、９ｍｍ（図１Ｂの左手側）から２１ｍｍ（図１Ｂの右手側）の範囲のサイズを有する。図では各ブローチ８は、左から右へ行くにつれて左のものより１ｍｍ大きくなっている。図面から分かるように、ブローチはテーパ状であり、各ブローチのサイズは、ブローチの頂部、近位端８ａの最大直径を指す。やすりとしても知られているブローチ８は、深いポケットに挿入され、近位端８ａにおいてハンマー９を用いて大腿骨内に打ち込まれる。ハンドル１０は、大腿骨インプラント７５（図１３参照）の近位端またはその近くのねじ窪み７５ａにねじ込まれ、大腿骨インプラントを大腿骨内に移植するために使用される。
【００１０】
股関節移植手術のための寛骨臼を準備するために使用されるツールは、図２Ａ、図２Ｂおよび図２Ｃの第２のセットのスチール・トレイ１１、１２および１３のそれぞれに含まれる。
【００１１】
トレイ１１および１２は、対応する大きさの寛骨臼カップを受け入れるのに適切なサイズに寛骨臼骨を切断するために使用される、２つまたは３つ以上の（図２Ａおよび２Ｂには２５個図示されている）異なるサイズの寛骨臼骨カッター１４を累積的に含む。ドリル１４０（図２３参照）を寛骨臼骨カッター１４に接続するために、駆動シャフトおよび駆動シャフトハンドルが使用される。
【００１２】
トレイ１３は、２つの異なるサイズの駆動シャフト１５および２つの駆動シャフトハンドル１６を図示している。駆動シャフトは、寛骨臼骨カッターへの接続に適した遠位端１５ｂと、駆動シャフトハンドル１６の遠位端１６ｂへの接続に適した近位端１５ａとを有する。駆動シャフトハンドル１６の近位端１６ａは、ドリル１４０のチャック１４１への接続に適している。
【００１３】
寛骨臼カップおよび寛骨臼ボールを移植するための試用インプラントおよびツールは、図３Ａ、図３Ｂおよび図３Ｃの第３のセットのスチール・トレイ２１、２２および２３のそれぞれに含まれる。
【００１４】
トレイ２１は、ドリル・ガイド・ハンドル２４、２つまたは３つ以上のドリル・ビット２５、２つまたは３つ以上のドリル・ガイド２６、２つまたは３つ以上の第２の試用寛骨臼ボール２７、および試用寛骨臼ボール挿入取り外しツール２８を含む。各ドリル・ビット２５は、対応する大きさのドリル・ガイドを有する。
【００１５】
トレイ２２は、２つまたは３つ以上の第１の試用寛骨臼ボール２９、２つまたは３つ以上の試用寛骨臼カップ３０、およびユニバーサル・ハンドル３１を含む。
【００１６】
トレイ２３は、寛骨臼カップ・インパクタ・アセンブリの要素を含む。トレイ２３は、他のユニバーサル・ハンドル３１、寛骨臼カップ・ハンドル３２、近位端にノブ３４を有する内部シャフト３３、２つの前傾ガイド・ロッド３５、少なくとも１つ、好ましくは３つのコレット３８、および、少なくとも１つ、好ましくは３つの寛骨臼ボール・インパクタ３７を含む。傾斜前傾ガイド３６は、ガイド３６を寛骨臼カップ・ハンドル３２上の適切な位置に維持するための蝶ねじ（図示せず）を有する。これは、２０１６年７月１５日に出願された本出願人の係属中の国際出願ＰＣＴ／ＵＳ１６／４２４４１号に詳細が記載されている。
【００１７】
大腿骨カップを移植するための試用インプラントおよびツールは、図４Ａ、図４Ｂおよび図４Ｃの第４のセットのスチール・トレイ４１、４２および４３のそれぞれに含まれる。
【００１８】
トレイ４１および４２は、２つまたは３つ以上の第１の試用大腿骨カップ４４のみを含む。これら第１の試用大腿骨カップ４４のサイズ、ネック長さおよびオフセット角度は変化し得る。それらは、好ましくは、ブローチが大腿骨から取り外される前に、トレイ２からブローチ８の近位端に一時的に固定されるように構成される。代替的に、それらは、図１１Ｅおよび１１Ｆに示すように、大腿骨インプラント４９の近位端に一時的に固定することができる。
【００１９】
トレイ４３は、大腿骨インプラント４９に一時的に固定されるように構成されている２つまたは３つ以上の第２の試用大腿骨カップ４５を含む（図１１Ｅおよび１１Ｆを参照）。また、このトレイは、ポリマ・ライナを大腿骨カップに押し付けるためのプレス４６、大腿骨カップ・ロケータ４７、およびプランジャ４８および４８ａも含む（図１６Ｃ、Ｄ、ＥおよびＦも参照）。
【００２０】
上述したトレイに含まれる様々な構成要素をより具体的に見ると、図５Ａ〜図５Ｅは、試用寛骨臼カップ３０の様々な図を示している。図５Ｅは、試用寛骨臼カップの斜視図である。図５Ａは側面図であり、図５Ｄは図５Ａの断面図である。図５Ｂは上面図であり、図５Ｃは底面図である。
【００２１】
試用寛骨臼カップ３０は、寛骨臼骨の準備された表面にぴったり合うように構成された外側面および内側窪み面を有する。外側面は好ましくは突面である。雌ねじが切られた開口部５１を有するステム５０は、窪み面の底部から延びており、カップは複数の任意の貫通開口部５２を有していることを特徴としている。ねじ開口部５１は、カップ３０を寛骨臼に取り付けたり寛骨臼から取り外したりするために使用されるユニバーサル・ハンドル３１のねじ山を受け入れる（図９Ｃを参照）。開口部５１のねじ溝は、図６Ａ〜図６Ｄに図示された第１の試用寛骨臼ボール２９も受け入れる。
【００２２】
本発明の試用寛骨臼ボールは、半球状であり、以下に説明するように平坦部分および斜面を含むことができる。図６Ｄは、試用寛骨臼ボール２９の斜視図であり、図６Ａはその側面図、図６Ｂはその上面図、図６Ｃはその断面図である。ねじ部分６０は、開口部５１にねじ込まれる。六角形の開口部６１は、平坦部分６２ａに設けられており、ボール２９をカップ３０に出し入れするために使用されるツール２８（図３Ａ参照）を収容する。任意の傾斜部分６２ｂは、ねじ部分６０に近接しており、ボール２９の基部を取り囲む傾斜エッジを形成する。
【００２３】
図７および図８は、第２の試用寛骨臼ボール２７と関連がある。
【００２４】
図７Ａ〜図７Ｆは、上記ボール２７の様々な図を示している。ボール２７は、人工装具のための最適なボールサイズを決定するために、移植された寛骨臼カップ７０（図８Ｄおよび図８Ｅ参照）に一時的に固定することができる。図８Ａ〜図８Ｃは、異なるサイズの第２の試用寛骨臼ボール２７を示している。
【００２５】
図７Ｆおよび図８Ｃは、ボール２７の斜視図であり、図７Ａおよび図８Ａは、ボール２７の側面図であり、図７Ｂおよび図８Ｂは、その上面図である。図７Ｃは、ボール２７の底面図であり、図７Ｄは、図７Ａの切断線７Ｄに沿った断面図である。図７Ｄの円で囲まれた部分７Ｅの詳細図は、図７Ｅに示されている。
【００２６】
第２の試用寛骨臼ボール２７は、識別するサイズ情報をインプリントするために使用される平坦な頂部６２を含む。ボール２７は、寛骨臼カップ７０のステム７１に嵌合する大きさの開口部６３を有する。突起部６５の側部には、ボールをステム７１に配置しステムから取り外すのを容易にするためのスロット６４が設けられている。
【００２７】
ユニバーサル・ハンドル３１は、図９Ｂの側面図および図９Ａの斜視図に示されている。図９Ｃは、寛骨臼骨８０の代表部分にある試用寛骨臼カップ３０にねじ込まれたユニバーサル・ハンドル３１の断面図である。ハンドル３１は、寛骨臼骨８０内に試用カップ３０を配置するために使用される。
【００２８】
第１の試用大腿骨カップ４４の複数の図が図１０に示されている。図１１は、大腿骨インプラント４９内のカップ４４の図とともにカップ４４のさらなる図を示している。
【００２９】
第１の試用大腿骨カップ４４の３つの異なる斜視図が、図１０Ｆ、図１１Ａおよび図１１Ｃに示されている。異なる角度から見たカップ４４の側面図が、図１０Ａ、図１１Ｂおよび図１１Ｄに示されている。図１０Ｂは、カップ４４の上面図、図１０Ｃは、その底面図であり、図１０Ｄは、図１０Ａの断面線１０Ｄに沿った断面図である。図１０Ｅは、図１０Ｄの丸で囲んだ部分１０Ｅの詳細図である。図１１Ｆは、インプラント４９に固定されたカップ４４の側面図であり、図１１Ｅは、インプラント４９に固定されたカップ４４の斜視図である。
【００３０】
第１の試用大腿骨カップ４４は、第１の窪み部分９１から離れて（すなわち、反対側に）伸びるステムの形態のベース部分９０を有する。ベース部分９０には、ブローチ８の近位端またはインプラント４９のステムを受け入れる開口部９２が含まれる。カップをブローチまたはステムに配置し、その後取り外すのを容易にするために、スロット９３および９３ａが設けられている。
【００３１】
第２の試用大腿骨カップ４５は、図１２Ａ〜図１２Ｆの複数の図で示されている。図１３Ａ〜図１３Ｇは、大腿骨インプラント７５内のカップ４５の図とともにカップ４５のさらなる図を示している。カップ４５の斜視図は、図１２Ｆおよび図１３Ｄに示され、その側面図は、図１２Ａおよび図１３Ａに示されている。カップ４５の上面図は、図１２Ｂおよび図１３Ｃに示され、その底面図は、図１２Ｃおよび図１３Ｂに示されている。図１２Ｄは、図１２Ａの切断線１２Ｄに沿った断面図であり、図１２Ｅは、図１２Ｄの丸で囲んだ部分１２Ｅの詳細図である。図１３Ｅは、インプラント７５内のカップ４５の斜視図であり、図１３Ｇは、インプラント７５内のカップ４５の側面図であり、図１３Ｆは、図１３Ｇの断面図である。
【００３２】
第２の試用大腿部カップ４５は、第２の窪み部分９６から離れて伸び、大腿骨インプラント７５内に受け入れられるようになっているステム９５を有する。ステム９５の開口部９７は、スロット９８と協働して、カップ４５を大腿骨インプラント７５に取り付け、大腿骨インプラント７５から取り外すのを容易にする。
【００３３】
図１４は、試用寛骨臼ボール２９の六角形の開口部に挿入された試用寛骨臼ボール挿入取り外しツール２８を断面で示している。これは、寛骨臼骨８０の代表部分に示された試用寛骨臼カップ３０に対してボールを取り付け、取り外しするためのツールのボールに対する位置である。
【００３４】
大腿骨カップ４４は、図１５において試用寛骨臼ボール２９上の所定の位置に示されている。大腿骨カップ４４は、インプラント４９に取り付けられ、寛骨臼カップ３０は、寛骨臼骨８０内に示されている。
【００３５】
ポリマ・ライナを大腿骨カップに押し付けるのに使用されるプレス４６の要素が図１６に示されている。プレス４６の斜視図は、図１６Ａに示されている。図１６Ａ〜図１６Ｆおよび図１７および図１８を参照すると、プレスは、ブラケット１０２が固定されたベース１０１を含む。シャフト１０４にはプレスバー１０３が設けられ、シャフト１０４の遠位端にはシリンダ１０５が設けられている。シリンダ１０５は、適切な大きさのプランジャ４８に接触して押し付ける。大腿骨カップ１１０が内部にある大腿骨カップ・ロケータ４７は、ベース１０１上に配置される。ポリマ・ライナ１１１の窪み部分は、プランジャ１０６に接して配置され、ライナ１１１の突部分は、図１８の断面に示されるように大腿骨カップ１１０の窪み部分の上に配置される。次に、ライナ１１１が大腿骨カップ１１０の窪み部分の所定の位置に嵌め込まれるまで、安定化ハンドル１０８も保持しながら、プレスバー１０３を用いてシリンダ１０５をプランジャに接触させて下方に押し付けることによってプランジャ４８を下方に押す。
【００３６】
挿入取り外しツール１２０が図１９および図２０に示されている。ツールは、止血鉗子と同様の大きさおよび構造である。ツールは、ツールの近位端のハンドル１２１およびラチェット部分１２２を含む。ヒンジ１２３は、梃子を提供するように位置決めされ、グリッパ１２４は、遠位端に配置される。ヒンジ１２３とグリッパ１２４との間に位置するツールの部分は、任意選択により傾斜（例えば、約２０°）していてもよい（図示せず）。
【００３７】
この用途では、ツール１２０の好ましい用途は、寛骨臼カップ７０から試用寛骨臼ボール２７ａを取り外すことである。図２２は、この目的のためにボール２７ａに接して配置されたツール１２０を示している。ボール２７ａは、ボールを把持して寛骨臼カップ７０のステム７１（図８Ｅ参照）から引き抜くことができるように設けられた円周溝の形の窪み１３０の追加された構成とともに上述のボール２７と同じ全ての構成を有する。
【図１Ａ】
2018525118.tif 000003
【図１Ｂ】
2018525118.tif 000004
【図２Ａ】
2018525118.tif 000005
【図２Ｂ】
2018525118.tif 000006
【図２Ｃ】
2018525118.tif 000007
【図３Ａ】
2018525118.tif 000008
【図３Ｂ】
2018525118.tif 000009
【図３Ｃ】
2018525118.tif 000010
【図４Ａ】
2018525118.tif 000011
【図４Ｂ】
2018525118.tif 000012
【図４Ｃ】
2018525118.tif 000013
【図５Ａ】
2018525118.tif 000014
【図５Ｂ】
2018525118.tif 000015
【図５Ｃ】
2018525118.tif 000016
【図５Ｄ】
2018525118.tif 000017
【図５Ｅ】
2018525118.tif 000018
【図６Ａ】
2018525118.tif 000019
【図６Ｂ】
2018525118.tif 000020
【図６Ｃ】
2018525118.tif 000021
【図６Ｄ】
2018525118.tif 000022
【図７Ａ】
2018525118.tif 000023
【図７Ｂ】
2018525118.tif 000024
【図７Ｃ】
2018525118.tif 000025
【図７Ｄ】
2018525118.tif 000026
【図７Ｅ】
2018525118.tif 000027
【図７Ｆ】
2018525118.tif 000028
【図８Ａ】
2018525118.tif 000029
【図８Ｂ】
2018525118.tif 000030
【図８Ｃ】
2018525118.tif 000031
【図８Ｄ】
2018525118.tif 000032
【図８Ｅ】
2018525118.tif 000033
【図９Ａ】
2018525118.tif 000034
【図９Ｂ】
2018525118.tif 000035
【図９Ｃ】
2018525118.tif 000036
【図１０Ａ】
2018525118.tif 000037
【図１０Ｂ】
2018525118.tif 000038
【図１０Ｃ】
2018525118.tif 000039
【図１０Ｄ】
2018525118.tif 000040
【図１０Ｅ】
2018525118.tif 000041
【図１０Ｆ】
2018525118.tif 000042
【図１１Ａ】
2018525118.tif 000043
【図１１Ｂ】
2018525118.tif 000044
【図１１Ｃ】
2018525118.tif 000045
【図１１Ｄ】
2018525118.tif 000046
【図１１Ｅ】
2018525118.tif 000047
【図１１Ｆ】
2018525118.tif 000048
【図１２Ａ】
2018525118.tif 000049
【図１２Ｂ】
2018525118.tif 000050
【図１２Ｃ】
2018525118.tif 000051
【図１２Ｄ】
2018525118.tif 000052
【図１２Ｅ】
2018525118.tif 000053
【図１２Ｆ】
2018525118.tif 000054
【図１３Ａ】
2018525118.tif 000055
【図１３Ｂ】
2018525118.tif 000056
【図１３Ｃ】
2018525118.tif 000057
【図１３Ｄ】
2018525118.tif 000058
【図１３Ｅ】
2018525118.tif 000059
【図１３Ｆ】
2018525118.tif 000060
【図１３Ｇ】
2018525118.tif 000061
【図１４】
2018525118.tif 000062
【図１５】
2018525118.tif 000063
【図１６Ａ】
2018525118.tif 000064
【図１６Ｂ】
2018525118.tif 000065
【図１６Ｃ】
2018525118.tif 000066
【図１６Ｄ】
2018525118.tif 000067
【図１６Ｅ】
2018525118.tif 000068
【図１６Ｆ】
2018525118.tif 000069
【図１６Ｇ】
2018525118.tif 000070
【図１６Ｈ】
2018525118.tif 000071
【図１７】
2018525118.tif 000072
【図１８】
2018525118.tif 000073
【図１９】
2018525118.tif 000074
【図２０】
2018525118.tif 000075
【図２１】
2018525118.tif 000076
【図２２】
2018525118.tif 000077
【図２３】
2018525118.tif 000078
【国際調査報告】
2018525118.tif 000079
2018525118.tif 000080
2018525118.tif 000081
2018525118.tif 000082